(57)【要約】【課題】軽量で持ち運びが容易な抱っこ紐であるにも関わらず、乳幼児の載置部として機能するベルトの交差部の撚れ、やめくれ上がり、型くずれ等の変形が少ない抱っこ紐を提供すること。【解決手段】互い略直交するように結合した一定幅の２個の環状ベルトを有する。当該環状ベルトの結合部は略正方形状に形成された領域として形成され、当該正方形状の領域の外周縁部を縫い合わせることによって前記２個の環状ベルトを結合している。また、前記２個の環状ベルトの交差部を起点とする当該環状ベルトの各側縁によって形成される３角形状の開口領域には、略３角形状の布状体が取り付けられ、前記２個の環状ベルトには、それぞれ当該環状ベルトの長さを調節するための調節具が設けられている。【選択図】図１
2010029236.tif 000002
【特許請求の範囲】
【請求項１】
互いに略直交するように結合した一定幅の２個の環状ベルトを有し、
前記環状ベルトの結合部は略正方形状の領域として形成されるとともに、当該正方形状の領域の外周縁部における縫い合わせによって前記２個の環状ベルトと結合したものであり、
前記２個の環状ベルトの交差部を起点とする当該環状ベルトの各側縁によって形成される３角形状の開口領域には、略３角形状の布状体が取り付けられており、
前記２個の環状ベルトには、それぞれ当該環状ベルトの長さを調節するための調節具が設けられていることを特徴とする抱っこ紐。
【請求項２】
前記環状ベルトは、少なくとも２枚の織り布を重ね合わせて側縁部を縫合することによって形成したものであり、
前記縫合される各織り布の側縁部は、折り返すことによって二重に形成されていることを特徴とする請求項１記載の抱っこ紐。
【請求項３】
前記略３角形状の布状体は、幼児の背中を支える背当て布となるものであって、
環状ベルトと結合する各側縁は、結合する環状ベルト側に向かって突出するように湾曲していることを特徴とする請求項１または２記載の抱っこ紐。
【発明の詳細な説明】
【技術分野】
【０００１】
本発明は、体の前面部において乳幼児を抱きかかえるための抱っこ紐に関するものである。
【背景技術】
【０００２】
従来、腰ベルトに取り付けられた保持台に乳幼児の臀部を載置する座面を形成し、当該保持台に着用者の首または肩に掛けられるループ状のサポートベルトを取り付けた乳幼児保持具が知られている（特許文献１）。
また、乳幼児を抱っこする際に、輪になっている２本の布を用いてそれぞれ両肩から斜めにかけてクロスさせ、当該クロスしたところで乳幼児のお尻を包み込むように構成した抱っこ紐が知られている（特許文献２）。
【特許文献１】特許第３３９６５７３号公報
【特許文献２】特開２００６−１８７３７２号公報
【０００３】
上記特許文献１記載の乳幼児保持具は、２本のループ状ベルトを使用して乳幼児の姿勢を保つようになっているが、実質的には乳幼児の荷重を腰ベルトに取り付けられた保持台によって支えるようになっている。そのため、腰ベルトおよび腰ベルトに取り付けられた保持台には、部材として剛性の高い素材を用いる必要があるので、未使用時にはかさばるものであった。
また、上記特許文献２記載の抱っこ紐は、輪になっている２本の布を用いた簡単な構成であるために、軽量であり持ち運びが容易である。しかし、当該抱っこ紐は、乳幼児の荷重を支えるクロス部分に形成した結合部が小さいので、布が撚れたりめくれ上がったりすることが多かった。また、荷重を支えるクロス部分の形状が２本の布の緊張の程度によって変形するので、適切な形状で使用することが難しく、乳幼児の装着状態や布の位置を落ち着かせるための微調整に多くの時間を要していた。
【発明の開示】
【発明が解決しようとする課題】
【０００４】
本発明は、上記課題に鑑み発明したものであって、軽量で持ち運びが容易な抱っこ紐であるにも関わらず、乳幼児の載置部として機能するベルトの交差部の撚れ、めくれ上がり、型くずれ等の変形が少なく、安定して乳幼児を載置収容することができる抱っこ紐を提供することを課題とする。
また、簡単な構成でありながら、乳幼児の背中を全て覆った状態で当該乳幼児の収容空間を立体的に形成し、かつ当該空間を開閉自在に構成することにより乳幼児の出し入れを容易にした抱っこ紐を提供することを課題とする。さらに、着用者の体型および乳幼児の成長に応じてベルトの長さを調節することができる抱っこ紐を提供することを課題とする。
【課題を解決するための手段】
【０００５】
上記課題を解決するために、本願請求項１記載の発明は以下の構成を有する。すなわち、
互いに略直交するように結合した一定幅の２個の環状ベルトを有し、
前記環状ベルトの結合部は略正方形状の領域として形成されるとともに、当該正方形状の領域の外周縁部における縫い合わせによって前記２個の環状ベルトと結合したものであり、
前記２個の環状ベルトの交差部を起点とする当該環状ベルトの各側縁によって形成される３角形状の開口領域には、略３角形状の布状体が取り付けられており、
前記２個の環状ベルトには、それぞれ当該環状ベルトの長さを調節するための調節具が設けられていることを特徴とする抱っこ紐。
【０００６】
また、本願請求項２記載の発明は以下の構成を有する。すなわち、請求項１記載の抱っこ紐であって、
前記環状ベルトは、少なくとも２枚の織り布を重ね合わせて側縁部を縫合することによって形成したものであり、
前記縫合される各織り布の側縁部は、折り返すことによって二重に形成されていることを特徴とする。
【０００７】
また、本願請求項２記載の発明は以下の構成を有する。すなわち、請求項１または２記載の抱っこ紐であって、
前記略３角形状の布状体は、幼児の背中を支える背当て布となるものであって、
環状ベルトと結合する各側縁は、結合する環状ベルト側に向かって突出するように湾曲していることを特徴とする請求項１または２記載の抱っこ紐。
【発明の効果】
【０００８】
本発明に係る抱っこ紐は、ベルト長さの調整具を除き、ほぼ木綿等の繊維素材による布を用いて形成したものであるから軽量であり、洗濯も容易である。また、抱っこ紐のほぼ全てが、布を数枚重ね合わせた程度の厚みしかないため柔軟性があって小さく折り畳むことが可能であり、折り畳んだ場合にはすこぶるコンパクトであって携行する場合にもかさばらないという効果を有している。
また、本発明に係る抱っこ紐は、布を重ね合わせて形成したベルトを主体とするものであるが、当該ベルトの側縁部は布の折り返し部同士を重ね合わせて縫製したものであるために、柔軟性を有するにも関わらず形成されたベルトが型くずれしにくく、所定の幅を維持したまま着用者の肩に接することができ、かつ乳幼児の収容空間を適切な形状に維持することができるという効果を有している。
また、肩にかけるベルトの長さを調節することができるので、着用者の体型および逐次成長する乳幼児の体型の変化に対応して、乳幼児の収容を適切な状態で行うことができるという効果を有している。
さらに、乳幼児の収容部位に設けた背あて布が立体的に膨らむことで、収容部の形状を乳幼児の体型に即した形状に形成することが出来るようになっている。また、背あて布が、ファスナーによって開閉することができるようになっているので、乳幼児の収容および取り出しが容易であるという効果を有している。
【発明を実施するための最良の形態】
【０００９】
以下、本発明を実施するための最良の形態について説明する。
図１において、１は本発明に係る抱っこ紐を表している。当該抱っこ紐１は、主な構成として２本のベルト２、３と、略３角形状に形成された背あて布４によって構成されている。２本のベルト２、３は、ともに約１０ｃｍ程度の横幅を有する帯状体として形成されたものであり、長さを調節するための調節具を介して環状に形成されている。
【００１０】
ベルト２（３）は、図２に示すように２枚の布帯パーツ２ａ、２ｂを重ね合わせて側縁を互いに縫合することにより形成されている。図２（ａ）は縫合前の布帯パーツ２ａ、２ｂ、図２（ｂ）は縫合したベルト２（布帯パーツ２ａ、２ｂ）を部分的に表した斜視図である。
本実施の形態では、布帯パーツ２ａ、２ｂの最適な素材として木綿製の織り布が用いられている。当該木綿製の織り布を帯状に裁断して側縁を内側に折り曲げて当該部分を２重に構成し、当該側縁の折り曲げ部同士を縫い糸５によって縫合することで１本の帯状体（ベルト）が形成される。このように構成された帯状体は、側縁の折り曲げ部と布の重ね合わせによる効果によって、柔軟性を有しつつも撚れや捻れなどに強い剛性を発揮することができるようになっている。
なお、ベルト３も上記と同様の構成を有し、柔軟性を有しつつも撚れや捻れなどに強い剛性を発揮することができるようになっている。
【００１１】
前記のように形成した２本のベルト２、３は、図１に示すように結合部６において、直交するように交差し結合している。本実施の形態ではベルト２、３の幅は約１０ｃｍであるので、当該結合部は、一辺が１０ｃｍの正方形状に形成されている。そして、当該正方形状の領域の周囲が縫い糸７によって縫製されている。
すなわち、交差部において２本のベルト２、３を部分的に小さく結合するのではなく、交差部の最も外側を縫合している。このため、結合部６において、ベルト２、３がよじれて交差角度が変わったり、結合部６の形状がベルト２、３の張り具合によって変形しにくくなっている。
【００１２】
当該結合部６は、２本のベルト２、３の唯一の係合部であるとともに、抱っこ紐として使用する際に乳幼児の臀部付近を支える部位である。当該結合部６の形状が不安定であると、ベルト２、３の配置が定まらず使用者にとっては装着しにくいものであり、乳幼児にとっても体が接する部分の形状が安定せず不快な着座状態となる。
これに対して、結合部６の形状が安定していると、当該結合部６を中心として２本のベルト２、３の方向や配置が定まり、装着しやすく、かつ装着後も使用者の体に対して適正な形状をなす。また、乳幼児を載置、収容する部位の形状も安定するので乳幼児にとっても快適な着座状態を提供できるものである。
【００１３】
前記結合部６を頂点とした前記２本のベルト２、３によって囲まれる三角形の領域には、背当て布４が取り付けられている。当該背当て布４の形状は、直線状に形成された上辺８と、ベルト２、３の交点部と接する頂点９を起点とする２辺１０、１１によって形成された略三角形状を成している。また、当該２辺１０、１１は直線ではなく突出した湾曲形状を成すように形成されており、当該湾曲形状を成した辺１０がベルト２の側縁に縫着され、辺１１がスライドファスナー１２を介してベルト３に縫着されている。
【００１４】
前記背当て布４は、乳幼児の臀部を支える前記結合部６に隣接して設けられており、ベルト２、３とともに乳幼児を収容する収容空間を形成し、乳幼児の臀部から両腕の付け根（脇下）に亘る背中部分を支えるようになっている。
前述したように、背当て布４は湾曲した２辺１０、１１をベルト２、３に取り付けることによって、その内部の収容空間を乳幼児の体型に沿って膨らませるようになっている。当該膨らみは、ベルト２、３によって生じる着用者側への乳幼児の押しつけ力を緩和し、着用者および乳幼児に与える圧迫感を軽減するようになっている。
また、前述したように、背当て布４の一方の辺１１は、開閉可能なスライドファスナー１２を介してベルト３に縫着されているので、当該スライドファスナー１２によって乳幼児の収容部を開閉することができるようになっている。
【００１５】
また、図４に記載した背面図に示すように、ベルト２、３にはそれぞれ長さを調節するための調節具が設けられている。当該調節具は、ベルトの端部に固定される固定パーツ１３と、ベルト上を移動する移動パーツ１４によって形成されており、固定パーツ１３と移動パーツ１４間の距離を任意に調節することにより、ベルトの長さを調節することができるようになっているものである。
【００１６】
図５は、抱っこ紐１を装着した着用者Ｘと抱っこ紐１に収容された乳幼児Ｙを簡略的に表したものであり、図５（ａ）は正面図、図５（ｂ）は側面図を表している。
本実施の形態に係る抱っこ紐１は、ベルト２、３を肩にかけ、背あて布４および結合部６が着用者Ｘの胸部から腹部に亘る部位の前面に位置するように装着する。そして、スライドファスナー１２によって背あて布４を開き、乳幼児Ｙをベルト２、３、背あて布４および結合部６によって包囲される収容空間に収容し、スライドファスナー１２を閉じることで、抱っこ紐として乳幼児Ｙの収容を完了する。
この際、乳幼児Ｙの臀部の高さ（結合部６の高さ）が着用者Ｘの臍の高さとほぼ同じ程度になるように高さを調節する。当該高さの調節は、固定パーツ１３と移動パーツ１４によって構成される調節具によって行われる。このように調節すると、着用者Ｘの背筋が前屈みになりにくく、両肩に係る荷重も均等になって着用者Ｘに対する負担が少なくなるようになっている。
なお、固定パーツ１３と移動パーツ１４によって構成される調節具を含むベルト２、３は片方で130ｋｇまで耐えることができる。
【産業上の利用可能性】
【００１７】
本発明は、乳幼児を抱きかかえる際に使用する抱っこ紐に利用可能である。
【図面の簡単な説明】
【００１８】
【図１】本発明に係る抱っこ紐の正面図である。
【図２】本発明に係る抱っこ紐に用いるベルトの説明図である。
【図３】本発明に係る抱っこ紐に用いる背あて布の説明図である。
【図４】本発明に係る抱っこ紐の背面図である。
【図５】本発明に係る抱っこ紐の使用状態を表す説明図である。
【符号の説明】
【００１９】
１  抱っこ紐
２、３  ベルト
４  背あて布
５  縫い糸
６  結合部
７  縫い糸
８  上辺
９  頂点
１０、１１  辺
１２  スライドファスナー
１３  固定パーツ（調節具）
１４  移動パーツ（調節具）
【図１】
2010029236.tif 000003
【図２】
2010029236.tif 000004
【図３】
2010029236.tif 000005
【図４】
2010029236.tif 000006
【図５】
2010029236.tif 000007